Podtech/llm-jp-corpus-v4-ja_patent huggingface dataset:
【誤訳訂正書】
【提出日】令和3年1月18日(2021.1.18)
【誤訳訂正１】
【訂正対象書類名】特許請求の範囲
【訂正対象項目名】請求項１１
【訂正方法】変更
【訂正の内容】
【請求項１１】
当該離間機構（１）は、前記第２の本体部（３０）と前記遮蔽部（５０）との間に設けられた第３のシール機構（７０）をさらに有する、ことを特徴とする請求項１〜１０のいずれか１項に記載の離間機構。
【誤訳訂正２】
【訂正対象書類名】特許請求の範囲
【訂正対象項目名】請求項２４
【訂正方法】変更
【訂正の内容】
【請求項２４】
前記各フランジ（２２、３２）の間に前記ボルト機構（６０）を形成するために、一つまたは複数のボルトを連結するのに先立って、一つまたは複数の栓（６２）を、前記第１の管状部（５）及び前記第２の管状部（７）の前記各フランジ（２２、３２）の一つまたは複数の開口部から取り除くことを含む、ことを特徴とする請求項２３に記載の再接続方法。
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
前部本体であって、上面及び底面と、前記前部本体の前記上面に長さ方向に延びる凹部と、前記前部本体の前記上面に幅方向に延びる溝とを備える前部本体と、
前記前部本体に接続されハウジングを形成する後部本体と、
前部分、及び、後部分を備えるプッシュプルタブと
を備え、
前記プッシュプルタブは、前記前部分に幅方向に延びる相補的な溝を備え、
前記溝と前記相補的な溝とは整列しており、
前記プッシュプルタブは、前記ハウジングの長さ方向に移動可能であり、
前記プッシュプルタブが前記ハウジングの長さ方向に移動すると、前記溝と前記相補的な溝との整列がずれるように構成されており、
前記前部分は、前記凹部に位置するコネクタ。
【請求項２】
前記後部分によって、ユーザが工具を用いずに前記プッシュプルタブを前記ハウジングの長さ方向に沿って動かすことが可能になる請求項１に記載のコネクタ。
【請求項３】
前記ハウジングに含まれる第１及び第２のフェルールを更に備えている、請求項１に記載のコネクタ。
【請求項４】
前記第１のフェルールを付勢するバネを更に備え、前記バネは、前記後部本体と前記第１のフェルールとを係合している、請求項３に記載のコネクタ。
【請求項５】
前記バネは第１のバネを備え、前記コネクタは、前記第２のフェルールを付勢する第２のバネを更に備え、前記第２のバネは、前記後部本体と前記第２のフェルールとを係合している、請求項４に記載のコネクタ。
【請求項６】
前記プッシュプルタブは、前記プッシュプルタブの前記相補的な溝が前記前部本体の前記溝と整列するような位置に付勢されている、請求項１に記載のコネクタ。
【請求項７】
前記前部本体は前部端を有し、前記凹部は前記前部本体の前記前部端を通じて延びている、請求項１に記載のコネクタ。
【請求項８】
前記プッシュプルタブの前記前部分は、前記相補的な溝の前方に位置する傾斜面を含んでいる、請求項１に記載のコネクタ。
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
第１の壁面及び第２の壁面を伴う壁を有する光学構成要素であって、前記第２の壁面が第１の方向で前記第１の壁面とは反対側にあり、前記壁が、前記第１の方向と垂直な第２の方向で互いに積み重ねられた複数の層を備え、
前記複数の層のそれぞれの層が、第１の縁面及び反対側の第２の縁面を伴う第１の領域を有し、前記第１の縁面及び前記第２の縁面が共に、前記層を通って前記第２の方向に延びており、前記第１の縁面が前記第１の領域と第２の領域との境界面であり、前記第２の縁面が前記第１の領域と第３の領域との間の境界面であり、前記第１の領域が前記第２の領域及び前記第３の領域のそれぞれよりも低い透過率を有し、
各第１の領域が規定の幅を有し、
連続する層同士が、前記規定の幅よりも大きい距離だけ互いにずらされている、
光学構成要素。
【請求項２】
前記光学構成要素が内容積部を備え、各層が前記内容積部の一部を取り囲んでいる、請求項１に記載の光学構成要素。
【請求項３】
前記第１の領域、前記第２の領域及び前記第３の領域がそれぞれ、前記内容積部の一部を取り囲んでいる、請求項２に記載の光学構成要素。
【請求項４】
各層が、前記第２の領域が前記第１の壁面の近くにある第１の部分と、前記第１の領域が前記第１の壁面の近くにある第２の部分とを備える、請求項１乃至３のいずれか一項に記載の光学構成要素。
【請求項５】
前記複数の層を含む第１の部分と、更なる透過部分との交互パターンを備える、請求項１乃至４のいずれか一項に記載の光学構成要素。
【請求項６】
各第１の領域が、着色された部分、反射性部分、拡散性部分、発光性部分、並びに前記第２の領域及び前記第３の領域とは異なる屈折率を有する透過性部分から個々に選択される、請求項１乃至５のいずれか一項に記載の光学構成要素。
【請求項７】
それぞれの第１の領域が同じである、請求項６に記載の光学構成要素。
【請求項８】
異なる層が、異なる材料で作られる、及び／又は異なる寸法を有する、請求項１乃至７のいずれか一項に記載の光学構成要素。
【請求項９】
請求項１乃至８のいずれか一項に記載の光学構成要素を備える照明器具。
【請求項１０】
前記光学構成要素が内容積部を備え、前記照明器具が、前記内容積部の内又は外に配置された光源を更に備える、請求項９に記載の照明器具。
【請求項１１】
請求項１乃至８のいずれか一項に記載の光学構成要素を製造する方法であって、押出機ノズルを有する３Ｄプリンタで前記複数の層を３Ｄ印刷するステップを含む方法。
【請求項１２】
前記３Ｄ印刷するステップが、前記光学構成要素の内容積部の一部の周りを取り囲む各層により、前記内容積部を形成するステップを含む、請求項１１に記載の方法。
【請求項１３】
各層が、前記第２の領域が前記第１の壁面の近くにある第１の部分と、前記第１の領域が前記第１の壁面の近くにある第２の部分とを備えるように、前記３Ｄ印刷するステップが各層を形成するステップを含む、請求項１２に記載の方法。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
セラミックボディであって、前記セラミックボディは、該セラミックボディを通して延びる流れ経路を含み、また該セラミックボディに形成された圧力窓を含み、前記圧力窓に圧力センサが配設されている、セラミックボディと、
前記セラミックボディに装着された少なくとも１つの非セラミックボディであって、前記非セラミックボディに形成された１つ又は複数の装着特徴部を含み、前記流れ経路は前記少なくとも１つの非セラミックボディを通して延びている、少なくとも１つの非セラミックボディと
を有する、マルチピース貫流コネクタ。
【請求項２】
前記流れ経路内の圧力により変形する前記セラミックボディの一部に関連付けられた圧力センサをさらに有する、請求項１に記載のマルチピース貫流コネクタ。
【請求項３】
前記１つ又は複数の装着特徴部は、ねじ式接続部、機械式かみ合い特徴部、及び締り嵌め部のうちの少なくとも１つを有する、請求項１に記載のマルチピース貫流コネクタ。
【請求項４】
前記セラミックボディは、該セラミックボディに形成された少なくとも１つのスロットを含み、前記少なくとも１つの非セラミックボディは、該非セラミックボディに形成された少なくとも１つのスロットを含む、請求項１に記載のマルチピース貫流コネクタ。
【請求項５】
前記少なくとも１つの非セラミックボディに対する前記セラミックボディの向き及び位置を維持するために、前記セラミックボディに形成された少なくとも１つのスロット、及び前記少なくとも１つの非セラミックボディに形成された少なくとも１つのスロットに係合される少なくとも１つのクリップをさらに有する、請求項１に記載のマルチピース貫流コネクタ。
【請求項６】
前記少なくとも１つのクリップは、バックスパン部と、前記バックスパン部の両端部から延び出た２本の脚部とを有し、各脚部に形成された一対の隆起部が、前記セラミックボディ及び前記少なくとも１つの非セラミックボディに形成された対応するスロットに係合する、請求項５に記載のマルチピース貫流コネクタ。
【請求項７】
セラミックボディと、
前記セラミックボディを通して延びる流れ経路であって、前記流れ経路の少なくとも一部が、実質的に連続した平滑な表面を含む、流れ経路と、
前記流れ経路内の圧力により変形する、前記セラミックボディに形成された圧力窓と、
前記圧力窓に配設された圧力センサと
を有する、貫流コネクタ。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
ナノロッド（４、７）を部品表面（３）に含むコーティング（２）を有する電子エミッタ（１）を生産する方法であって、
無機の導電性接着材層（５）によって前記部品表面のコーティング領域にナノロッド（４、７）を施し、
架橋性シリコーンポリマーおよび架橋性試薬を含むポリマー混合物を前記コーティング領域に塗布し、
ポリマー混合物の前記コーティング領域への塗布から生じるポリマー膜を熱硬化させて、エラストマー膜を形成し、
前記エラストマー膜を除去する
ことを含む方法。
【請求項２】
前記無機の導電性接着材層（５）において、ナノロッド（４、７）および易焼結性粒子を含むペーストを、前記部品表面にスクリーン印刷によって塗布し、無機の導電性接着材層を前記部品表面に接着するために前記ペーストを焼成することを更に備え、焼成後に、前記易焼結性粒子は、少なくとも１つの接点において一緒に焼結されて、前記電子エミッタの前記表面に接着性を与える、請求項１に記載の方法。
【請求項３】
前記ペーストは、添加された導電性粒子（８）、カーバイド形成粒子、有機分散剤、または、有機溶剤をさらに含む、請求項２に記載の方法。
【請求項４】
前記ペーストは、２重量％以下のナノロッド（４）、合計２０重量％以下の、ガラス粒子、添加された導電性粒子（８）および０．１μｍ〜５μｍの平均粒度のカーバイド形成要素、最高４８．９１重量％のテルピネオール、最高２０．９６重量％のブチルカルビトール酢酸塩、ならびに最高８．１３重量％のエチルセルロースを含む、請求項３に記載の方法。
【請求項５】
前記ナノロッド（４、７）はナノチューブを含む、請求項１に記載の方法。
【請求項６】
前記ナノロッド（４、７）はカーボンまたはカーバイドを含む、請求項１に記載の方法。
【請求項７】
前記ナノロッド（４、７）は、酸化チタン、酸化亜鉛、または、酸化マンガンを含むグループから選択された金属酸化物を含む、請求項１に記載の方法。
【請求項８】
前記ナノロッド（４、７）は、少なくとも１つの硫化金属を含む、請求項１に記載の方法。
【請求項９】
前記ナノロッド（４、７）は、窒化ホウ素、窒化アルミニウム、窒化炭素、または、窒化ガリウムを含むグループから選択された窒化物を含む、請求項１に記載の方法。
【請求項１０】
前記ナノロッド（４、７）は、アーク放電によって生成されたマルチ壁のあるカーボンナノチューブを備える、請求項１に記載の方法。
【請求項１１】
前記ナノロッド（４、７）はシリコンを備える、請求項１に記載の方法。
【請求項１２】
前記エラストマー膜を除去することは、前記エラストマー膜を剥がすことを含む、請求項１に記載の方法。
【請求項１３】
前記ナノロッド（４、７）は、ランタンまたはセリウムの少なくとも一つの元素を含む、請求項１に記載の方法。
【請求項１４】
電子エミッタ（１）の部品表面（３）上の無機の導電性接着剤層（５）と、
前記無機の導電性接着剤層（５）のコーティング領域にわたって、平均コーティング厚（ｄ）、前記無機の導電性接着材層（５）から上方へ突出する大部分は直立した配向を有するナノロッド（７）の平均数（ｎ）、および平均電気シート抵抗（ＲＦＭ）を有する、ナノロッド（４、７）であって、すべての前記ナノロッド（４、７）は、前記接着材層（５）を介して部品表面（３）に接着されて、そしてコーティング厚、１ｍｍ２当たりの前記接着材層（５）から直立した配向によって突出するナノロッド（７）の数、および電気シート抵抗（ＲＦ）は、少なくとも１０−８ｍｍ２のサイズの部分的なコーティング領域ごとに２５％以下の平均値（ｄ、ｎ、ＲＦＭ）から逸脱する、ナノロッド（４，７）と
を含むコーティング（２）を有する
電子エミッタ（１）。
【請求項１５】
前記コーティング領域にわたって、前記平均数（ｎ）は、１ｍｍ２当たり１０４〜１０６の値を有し、前記平均電気シート抵抗（ＲＦＭ）は１Ω／ｓｑ以下であり、そして前記平均コーティング厚（ｄ）は８μｍ〜２０μｍの値を有し、
前記平均コーティング厚（ｄ）は、５μｍ〜１５μｍの前記接着材層（５）の平均部分的な層厚み（ｈ）と、前記接着材層（５）から３μｍ〜５μｍの前記接着材層（５）まで突出する前記ナノロッド（４、７）の端（６）の平均距離の差（ｉ）とから成る、請求項１４に記載の電子エミッタ（１）。
【請求項１６】
前記ナノロッド（４、７）は、２ｎｍ〜２０ｎｍの外径および１μｍ〜１０μｍの長さを有する、請求項１４に記載の電子エミッタ（１）。
【請求項１７】
前記ナノロッド（４、７）は、マルチ壁のあるカーボンナノチューブを含む、請求項１４に記載の電子エミッタ。
【請求項１８】
前記マルチ壁のあるカーボンナノチューブ（４、７）は、アーク放電方法により生成さ
れる、請求項１７に記載の電子エミッタ。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
方法であって、
第１の表面を有する第１の材料の基板を提供することと、
第２の材料のナノ粒子を含む第１の溶剤ペーストの層を前記第１の表面上に付加的に堆積することと、
前記第２の材料のナノ粒子を共に焼結させるために前記第１の溶剤ペーストにエネルギーを印加して前記第１の表面に前記第２の材料を拡散させることと、
前記第２の材料の焼結されたナノ粒子上に第３の材料のナノ粒子を含む第２の溶剤ペーストの層を付加的に堆積させることであって、前記第２の溶剤ペーストが前記第１の溶剤ペーストと異なる化学化合物を含み、前記第３の材料が前記第２の材料に付着する、前記付加的に堆積させることと、
前記第３の材料のナノ粒子を共に焼結させるために前記第２の溶剤ペーストにエネルギーを印加することであって、前記第３の材料の焼結されたナノ粒子が前記第２の材料の焼結されたナノ粒子に付着する、前記第２の溶剤ペーストにエネルギーを印加することと、
を含む、方法。
【請求項２】
請求項１に記載の方法であって、
前記基板が、金属基板と半導体デバイスに用いられる金属リードフレームと絶縁層と交互にされる金属層を含む積層基板とを含む群から選択される、方法。
【請求項３】
請求項１に記載の方法であって、
前記第１の材料が、銅と銅合金とアルミニウムとアルミニウム合金と鉄ニッケル合金とを含む群から選択される、方法。
【請求項４】
請求項３に記載の方法であって、
前記第１の材料が、スズと銀とニッケルとパラジウムと金とを含む群から選択される金属のめっき層を含む、方法。
【請求項５】
請求項１に記載の方法であって、
前記付加的に堆積することが、スクリーン印刷とフレキソ印刷とグラビア印刷と浸漬コーティングとスプレーコーティングとインクジェット印刷とを含む群から選択され、前記インクジェット印刷が、圧電と熱と音響と静電とのインクジェット印刷を含む、方法。
【請求項６】
請求項１に記載の方法であって、
前記第２の材料が、金属と金属酸化物と酸化物とセラミックスとを含む群から選択される、方法。
【請求項７】
請求項１に記載の方法であって、
前記第３の材料が、ポリマーと酸化物とセラミックスと金属と金属酸化物とを含む群から選択される、方法。
【請求項８】
請求項１に記載の方法であって、
前記第２の材料のナノ粒子を焼結するためのエネルギーが、熱エネルギーと光子エネルギーと電磁エネルギーと化学エネルギーとを含む群から選択される、方法。
【請求項９】
方法であって、
第１の表面を有する第１の材料の基板を提供することと、
第２の材料のナノ粒子を含む第１の溶剤ペーストの層を前記第１の表面上に付加的に堆積させることと、
前記第２の材料のナノ粒子を共に焼結するために前記第１の溶剤ペーストにエネルギーを印加して前記第１の表面に前記第２の材料を拡散させることと、
第３の材料のナノ粒子を含む第２の溶剤ペーストの層を前記第２の材料の焼結されたナノ粒子上に付加的に堆積させることであって、前記第２の溶剤ペーストが前記第１の溶剤ペーストと異なる化学化合物を含み、前記第３の材料が前記第２の材料に付着する、前記付加的に堆積させることと、
前記第３の材料のナノ粒子を共に焼結させるために前記第２の溶剤ペーストにエネルギーを印加することであって、前記第３の材料の焼結されたナノ粒子が前記第２の材料の焼結されたナノ粒子に付着し、それにより２層ナノ粒子膜が形成される、前記第２の溶剤ペーストにエネルギーを印加することと、
を含む、方法。
【請求項１０】
請求項９に記載の方法であって、
前記基板が、銅と銅合金とアルミニウムとアルミニウム合金と鉄ニッケル合金とを含む群から選択される前記第１の材料を備える半導体デバイスに用いるための金属リードフレームである、方法。
【請求項１１】
請求項１０に記載の方法であって、
前記第１の材料が、スズと銀とニッケルとパラジウムと金とを含む群から選択される金属のめっき層を含む、方法。
【請求項１２】
請求項９に記載の方法であって、
前記第２の材料が、金属と金属酸化物と酸化物とセラミックスとを含む群から選択される、方法。
【請求項１３】
請求項９に記載の方法であって、
前記第３の材料が、ポリマーと酸化物とセラミックスと金属と金属酸化物とを含む群から選択される、方法。
【請求項１４】
請求項９に記載の方法であって、
前記２層ナノ粒子膜を第４の材料内に封止することを更に含む、方法。
【請求項１５】
請求項１４に記載の方法であって、
前記封止することの前に、前記封止することの後に半導体チップがパッケージ内に位置するように前記基板上に前記半導体チップをアセンブルすることを更に含む、方法。
【請求項１６】
請求項１４に記載の方法であって、
前記第４の材料が、エポキシベースのモールディング化合物のような重合体化合物を含む、方法。
【請求項１７】
請求項１４に記載の方法であって、
前記第４の材料が、前記第３の材料と混ざり合う前記第４の材料によって前記第３の材料のナノ粒子と結合する、方法。
【請求項１８】
請求項１４に記載の方法であって、
前記第３の材料のナノ粒子が、前記第４の材料の物体に結合する、方法。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
複合材廃棄物から炭素繊維を回収するための方法であって、
炭素繊維及び樹脂マトリックスを有する複合材廃棄物の表面に水溶性触媒粉末をコーティングするステップ、及び
コーティングされた複合材廃棄物の樹脂マトリックスを熱分解するステップ
を含む方法。
【請求項２】
前記コーティングするステップが、前記複合材廃棄物の前記表面に前記水溶性触媒粉末を０．１〜０．５ｇ／ｃｍ２の量で噴霧することを含む、請求項１に記載の方法。
【請求項３】
前記熱分解するステップが、前記コーティングされた複合材廃棄物を熱分解装置に入れることを含む、請求項１または２に記載の方法。
【請求項４】
前記熱分解するステップが、２５０から４５０℃に１０から３０分間加熱することを含む、請求項１から３のいずれか一項に記載の方法。
【請求項５】
前記加熱を停止すること及び自然に室温に冷ますことをさらに含む、請求項４に記載の方法。
【請求項６】
前記触媒が、室温で固体の粉末であり、２５０℃から４００℃の融点を有し、安定な化学的性質を有する、請求項１から５のいずれか一項に記載の方法。
【請求項７】
前記触媒が主触媒と重炭酸ナトリウムとを含む、請求項１から６のいずれか一項に記載の方法。
【請求項８】
前記主触媒が、塩化亜鉛、テトラクロロアルミン酸ナトリウム、硫酸亜鉛、又はこれらの混合物を含む、請求項７に記載の方法。
【請求項９】
前記樹脂マトリックスが熱硬化性樹脂を含む、請求項１から８のいずれか一項に記載の方法。
【請求項１０】
前記熱硬化性樹脂が、エポキシ樹脂、不飽和ポリエステル、及びフェノール樹脂のうちの少なくとも一つを含む、請求項９に記載の方法。
【請求項１１】
前記樹脂マトリックスが熱可塑性樹脂を含む、請求項１から１０のいずれか一項に記載の方法。
【請求項１２】
前記熱可塑性樹脂が、ポリオレフィン、ナイロン、及びポリエステルのうちの少なくとも一つを含む、請求項１１に記載の方法。
【請求項１３】
前記炭素繊維が、ポリアクリロニトリル系炭素繊維及びアスファルト系炭素繊維のうちの少なくとも一つを含む、請求項１から１２のいずれか一項に記載の方法。
【請求項１４】
前記炭素繊維の形態が、連続繊維、中繊維、短繊維、粉末繊維及び炭素繊維織物のうちの少なくとも一つを含む、請求項１から１３のいずれか一項に記載の方法。
【請求項１５】
前記触媒が前記複合材廃棄物の表面に付着する液膜として溶融状態になることにより、前記樹脂マトリックスの分解が促進される、請求項１から１４のいずれか一項に記載の方法。
【請求項１６】
クリーンな表面を有する炭素繊維を得るために、回収された炭素繊維を水中で超音波洗浄することをさらに含む、請求項１から１５のいずれか一項に記載の方法。
【請求項１７】
複合材廃棄物から炭素繊維を回収するための方法であって、
炭素繊維及び樹脂マトリックスを有する複合材廃棄物の表面に水溶性触媒粉末を０．１〜０．５ｇ／ｃｍ２の量で噴霧すること、並びに
前記触媒で覆われた複合材廃棄物を熱分解装置の中に入れて、２５０〜４５０℃に１０から３０分間加熱すること
を含む方法。
【請求項１８】
前記加熱を停止すること及び自然に室温に冷ますことをさらに含む、請求項１７に記載の方法。
【請求項１９】
クリーンな表面を有する炭素繊維を得るために、前記炭素繊維を前記熱分解装置から取り出して水中で超音波洗浄することをさらに含む、請求項１７または１８に記載の方法。
【請求項２０】
前記触媒が、室温で固体の粉末であり、２５０℃から４００℃の融点を有し、安定な化学的性質を有する、請求項１７から１９のいずれか一項に記載の方法。
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
非晶質またはナノ粒子の形態で分散剤に分散されたトリス（８−キノリノラト）ガリウム（III）（ＧａＱ３）の分散体を含む経口投与製剤であって、前記分散剤における非晶質またはナノ粒子のＧａＱ３の前記分散体は、腸溶性コーティングまたは遅延放出コーティングにより保護される、経口投与製剤。
【請求項２】
前記分散剤の存在下で、ＧａＱ３を非晶質状態に変換すること、ここで、ＧａＱ３および分散剤の両方が溶媒に溶解され、前記溶媒を蒸発させて非晶質の分散剤が得られる、または、
溶媒に溶解させた前記分散剤中にナノ粒子形態を懸濁させ、前記溶媒を蒸発させて分散剤層に囲まれた前記ナノ粒子を得ること
のいずれかを含む工程により調製された、請求項１に記載の製剤。
【請求項３】
前記ＧａＱ３が非晶質であり、前記ＧａＱ３および前記分散剤が共に溶解され、噴霧乾燥される、請求項２に記載の製剤。
【請求項４】
ＧａＱ３：分散剤の重量比が９：１から１：９の間である、請求項１〜３のいずれか１項に記載の製剤。
【請求項５】
前記分散剤が、メタクリル酸：メタクリル酸エステルコポリマーを含む、請求項１〜４のいずれか１項に記載の製剤。
【請求項６】
前記分散剤が、ゼラチン、カゼイン、レシチン、アカシアガム、コレステロール、トラガカント、ステアリン酸、塩化ベンザルコニウム、ステアリン酸カルシウム、モノステアリン酸グリセリル、セトステアリルアルコール、セトマクロゴール乳化ワックス、ソルビタンエステル、ポリオキシエチレンアルキルエーテル、ポリオキシエチレンヒマシ油誘導体、ポリオキシエチレンソルビタン脂肪酸エステル、ポリエチレングリコール、メタクリル酸：メタクリル酸エステルコポリマー、アミノアルキルメタクリレートコポリマー、ポリオキシエチレンステアレート、コロイド状二酸化ケイ素、リン酸塩、ドデシル硫酸ナトリウム、カルボキシメチルセルロースカルシウム、カルボキシメチルセルロースナトリウム、メチルセルロース、ヒドロキシエチルセルロース、ヒドロキシプロピルセルロース、ヒドロキシプロピルメチルセルロースフタレート、非結晶性セルロース、ケイ酸アルミニウムマグネシウム、トリエタノールアミン、ポリビニルアルコール、もしくはポリビニルピロリドン、またはそれらの組み合わせを含む、請求項１〜４のいずれか１項に記載の製剤。
【請求項７】
腸溶性コーティングまたは遅延放出コーティングが、メタクリル酸：メタクリル酸エステルコポリマーを含む、請求項１〜５のいずれか１項に記載の製剤。
【請求項８】
腸溶性コーティングまたは遅延放出コーティングが、シェラック（アロイリット酸のエステル）、酢酸フタル酸セルロース（ＣＡＰ）、ポリ（メタクリル酸−コ−メタクリル酸メチル）、酢酸トリメリト酸セルロース（ＣＡＴ）、ポリ（ビニルアセテートフタレート）（ｐｖａｐ）、ヒドロキシプロピルメチルセルロースフタレート（ＨＰＭＣＰ）、植物繊維、プラスチック、ヒドロキシプロピルメチルセルロース、ヒドロキシプロピルセルロース、メタクリル酸：メタクリル酸エステルコポリマー、アミノアルキルメタクリレートコポリマー、酢酸セルロース、トリアセチン、クエン酸トリエチル、ポリオール類、グリセロール、プロピレングリコール、ポリエチレングリコールＰＥＧ、有機エステル類、フタル酸エステル、フタル酸ジエチル、フタル酸ジブチル、クエン酸エステル、クエン酸トリエチルエステル、クエン酸アセチルトリエチルエステル、クエン酸アセチルトリブチルエステル、または油/グリセリド類、アセチル化モノグリセリド、もしくは分別ココナッツオイル、またはそれらの組み合わせを含む、請求項１〜５のいずれか１項に記載の製剤。
【請求項９】
前記ＧａＱ３が、Ｅｕｄｒａｇｉ  Ｌ−１００との１：１（重量／重量）分散体中の非晶質トリス（８-キノリノラト）ガリウム（III）であり、図１の曲線Ａに示す粉末Ｘ線回折パターン（ＸＲＤ）を有する、請求項１〜８のいずれか１項に記載の製剤。
【請求項１０】
前記ＧａＱ３が、水性媒体と混合したとき溶解度の即時ピークを示す、請求項１〜９のいずれか１項に記載の製剤。
【請求項１１】
前記ＧａＱ３が、水蒸気または７５％相対湿度にさらされても非晶質またはナノ結晶状態を維持する、請求項１〜１０のいずれか１項に記載の製剤。
【請求項１２】
１０ｍｇ／ｋｇのＧａＱ３の用量でイヌに投与したとき、１０ｍｇ／ｋｇの結晶質ＧａＱ３を投与されたイヌの血漿中ＡＵＣの少なくとも２００倍の血漿中ＡＵＣをもたらし、または、
１０ｍｇ／ｋｇのＧａＱ３の用量でイヌに投与したとき、少なくとも２３３６ｎｇ/ｍｌの血漿中Ｃｍａｘをもたらし、または、
１０ｍｇ／ｋｇのＧａＱ３の用量でイヌに投与したとき、少なくとも６０５４６ｎｇ＊ｈｒ／ｍｌの血漿中ＡＵＣをもたらし、または、
１ｍｇ／ｋｇのＧａＱ３の用量で絶食した雌イヌに投与したとき、少なくとも４３８１ｎｇ＊ｈｒ／ｍｌの血漿中ＡＵＣをもたらし、または、
１ｍｇ／ｋｇのＧａＱ３の用量で絶食した雄イヌに投与したとき、少なくとも４２２７ｎｇ＊ｈｒ／ｍｌの血漿中ＡＵＣをもたらし、または、
１ｍｇ／ｋｇのＧａＱ３の用量で絶食した雌イヌに投与したとき、少なくとも３３０ｎｇ／ｍｌの血漿中Ｃｍａｘをもたらし、または、
１ｍｇ／ｋｇのＧａＱ３の用量で絶食した雄イヌに投与したとき、少なくとも３１０ｎｇ／ｍｌの血漿中Ｃｍａｘをもたらす、請求項１〜１１のいずれか１項に記載の製剤。
【請求項１３】
前記経口投与製剤がカプセル、錠剤、微粒子またはミニ錠剤に含まれている、請求項１〜１２のいずれか１項に記載の製剤。
【請求項１４】
対象における癌の治療に使用されるための請求項１〜１３のいずれか１項に記載の製剤であって、前記対象は、ヒトまたは実験動物モデルである、製剤。
【請求項１５】
癌の治療のための医薬の製造における請求項１〜１３のいずれか１項に記載の製剤の使用であって、前記医薬は対象に投与されるためのものであり、前記対象は、ヒトまたは実験動物モデルである、使用。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
以下の式:
【化１】
2020513021.tif 000001
で表される化合物またはその塩。
【請求項２】
以下:
【化２】
2020513021.tif 000002
およびそれらの塩からなる群から選択される化合物。
【請求項３】
化合物が、式(D-5)で表されるか、またはその塩である、請求項２に記載の化合物。
【請求項４】
化合物が、式(D-4)で表されるか、またはその塩である、請求項２に記載の化合物。
【請求項５】
以下:
【化３】
2020513021.tif 000003
およびそれらの塩からなる群から選択される化合物。
【請求項６】
化合物が、式(C-8)で表されるか、またはその塩である、請求項５に記載の化合物。
【請求項７】
化合物が、式:
【化４】
2020513021.tif 000004
で表されるか、またはその塩である、請求項５に記載の化合物。
【請求項８】
化合物が、式(C-7)で表されるか、またはその塩である、請求項５に記載の化合物。
【請求項９】
化合物は、式(C-6)で表されるか、またはその塩である、請求項５に記載の化合物。
【請求項１０】
化合物が、式(C-5)で表されるか、またはその塩である、請求項５に記載の化合物。
【請求項１１】
化合物が、式(C-4)で表されるか、またはその塩である、請求項５に記載の化合物。
【請求項１２】
化合物が、式(C-3)で表されるか、またはその塩である、請求項５に記載の化合物。
【請求項１３】
以下:
【化５】
2020513021.tif 000005
およびそれらの塩からなる群から選択される化合物。
【請求項１４】
以下:
【化６】
2020513021.tif 000006
およびそれらの塩からなる群から選択される化合物。
【請求項１５】
化合物が、式(A-7)で表されるか、またはその塩である、請求項１４に記載の化合物。
【請求項１６】
化合物が、式(A-6)で表されるか、またはその塩である、請求項１４に記載の化合物。
【請求項１７】
化合物が、式(A-5)で表されるか、またはその塩である、請求項１４に記載の化合物。
【請求項１８】
化合物が、式(A-4)で表されるか、またはその塩である、請求項１４に記載の化合物。
【請求項１９】
化合物が、式(A-3)で表されるか、またはその塩である、請求項１４に記載の化合物。
【請求項２０】
化合物が、式(A-2)で表されるか、またはその塩である、請求項１４に記載の化合物。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
ｌｙｎキナーゼ活性化因子または薬学的に許容されるその塩、及びＴＲＰＭ８アゴニストを含む組成物。
【請求項２】
前記ｌｙｎキナーゼ活性化因子は、式：
【化１】
2020513038.tif 000001
のものまたは薬学的に許容されるその塩であって、式中：
Ｒ１はアルキル基であり；
Ｘはハロゲンであり；
ＹはＯ、Ｓ、またはＮＨであり；
ＺはＯまたはＳであり；かつ
ｎは０〜５の整数でありかつｍは０または１であって、ｍ＋ｎは５未満であるかまたは５に等しい、請求項１に記載の組成物。
【請求項３】
前記ｌｙｎキナーゼ活性化因子は、式：
【化２】
2020513038.tif 000002
のものまたは薬学的に許容されるその塩であって、式中：
Ｒ１はアルキル基であり；
Ｘはハロゲンであり；かつ
ｎは０〜５の整数でありかつｍは０または１であって、ｍ＋ｎは５未満であるかまたは５に等しい、請求項１に記載の組成物。
【請求項４】
前記ｌｙｎキナーゼ活性化因子は、式：
【化３】
2020513038.tif 000003
のものまたは薬学的に許容されるその塩であって、式中：
Ｒ１はアルキル基であり、かつｎは０〜５の整数である、請求項１に記載の組成物。
【請求項５】
前記ｌｙｎキナーゼ活性化因子は、式：
【化４】
2020513038.tif 000004
のものまたは薬学的に許容されるその塩である、請求項１に記載の組成物。
【請求項６】
前記ｌｙｎキナーゼ活性化因子は、式：
【化５】
2020513038.tif 000005
のものまたは薬学的に許容されるその塩であって、式中：
Ｘはハロゲンであり、かつｍは０〜１の整数である、請求項１に記載の組成物。
【請求項７】
前記ｌｙｎキナーゼ活性化因子は、式：
【化６】
2020513038.tif 000006
のものまたは薬学的に許容されるその塩である、請求項１に記載の組成物。
【請求項８】
前記ｌｙｎキナーゼ活性化因子は、式：
【化７】
2020513038.tif 000007
のものまたは薬学的に許容されるその塩であって、式中：
Ｒ１、Ｒ２、Ｒ３、Ｒ４、Ｒ５、Ｒ６、及びＲ７のそれぞれは、独立して、水素、アルコキシ、アルキル、アルケニル、アルキニル、アリール、アリールオキシ、ベンジル、シクロアルキル、ハロゲン、ヘテロアリール、ヘテロシクロアルキル、−ＣＮ、−ＯＨ、−ＮＯ２、−ＣＦ３、−ＣＯ２Ｈ、−ＣＯ２アルキル、または−ＮＨ２であり；
Ｒ８はアルキルまたは水素であり；
ＸはＯ、Ｓ、ＮＨ、またはＮ−アルキルであり；かつ
ＺはＯまたはＳである、請求項１に記載の組成物。
【請求項９】
前記ＴＲＰＭ８アゴニストは、メントール、イシリン、ＷＳ３、またはＷＳ２３である、請求項１〜８のいずれか１項に記載の組成物。
【請求項１０】
前記ＴＲＰＭ８アゴニストはメントールである、請求項１〜８のいずれか１項に記載の組成物。
【請求項１１】
前記ｌｙｎキナーゼ活性化因子は、式：
【化８】
2020513038.tif 000008
のものまたは薬学的に許容されるその塩であり、かつ前記ＴＲＰＭ８アゴニストはメントールである、請求項１に記載の組成物。
【請求項１２】
血中グルコースレベル、体重増加、もしくは脂肪貯蔵レベルを低下させること、またはメタボリックシンドローム、シンドロームＸ、肥満、前糖尿病、ＩＩ型糖尿病、Ｉ型糖尿病、高コレステロール血症、脂質異常症を治療すること、脂肪細胞のベージュ化を誘導すること、または膵臓ベータ細胞変性を予防することを、それを必要としている哺乳類において行うための医薬の製造における、請求項１〜１１のいずれか一項に記載のｌｙｎキナーゼ活性化因子及びＴＲＰＭ８アゴニストの使用。
【請求項１３】
前記ｌｙｎキナーゼ活性化因子及びＴＲＰＭ８アゴニストは、同じ組成物中に存在する、請求項１２に記載の使用。
【請求項１４】
前記ｌｙｎキナーゼ活性化因子は、式：
【化９】
2020513038.tif 000009
のものまたは薬学的に許容されるその塩であり、かつ前記ＴＲＰＭ８アゴニストはメントールである、請求項１２に記載の使用。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
（ａ）下記式（ＩＩ）の化合物：
【化１】
2020513037.tif 000001
［それは、（１Ｓ，４ａＲ，６ａＳ，７Ｒ，８Ｒ，１０ａＲ，１０ｂＲ，１２ａＲ，１４Ｒ，１５Ｒ）−１５−［［２−アミノ−２，３，３−トリメチルブチル］オキシ］−８−［（１Ｒ）−１，２−ジメチルプロピル］−１４−［５−（４−ピリジニル）−１Ｈ−１，２，４−トリアゾール−１−イル］−１，６，６ａ，７，８，９，１０，１０ａ，１０ｂ，１１，１２，１２ａ−ドデカヒドロ−１，６ａ，８，１０ａ−テトラメチル−４Ｈ−１，４ａ−プロパノ−２Ｈ−フェナントロ［１，２−ｃ］ピラン−７−カルボン酸である。］又は当該化合物の薬学的に許容される塩である第１の治療剤；及び
（ｂ）ボリコナゾール、イサブコナゾール、ポサコナゾール、イトラコナゾール、又はアムホテリシンＢである第２の治療剤
の医薬組み合わせ。
【請求項２】
前記第１の治療剤が、下記式（ＩＩａ）の化合物：
【化２】
2020513037.tif 000002
［それは、（１Ｓ，４ａＲ，６ａＳ，７Ｒ，８Ｒ，１０ａＲ，１０ｂＲ，１２ａＲ，１４Ｒ，１５Ｒ）−１５−［［（２Ｒ）−２−アミノ−２，３，３−トリメチルブチル］オキシ］−８−［（１Ｒ）−１，２−ジメチルプロピル］−１４−［５−（４−ピリジニル）−１Ｈ−１，２，４−トリアゾール−１−イル］−１，６，６ａ，７，８，９，１０，１０ａ，１０ｂ，１１，１２，１２ａ−ドデカヒドロ−１，６ａ，８，１０ａ−テトラメチル−４Ｈ−１，４ａ−プロパノ−２Ｈ−フェナントロ［１，２−ｃ］ピラン−７−カルボン酸である。］又は当該化合物の薬学的に許容される塩である、請求項１に記載の医薬組み合わせ。
【請求項３】
請求項１又は２に記載の医薬組み合わせであって、真菌感染又は細菌感染の治療を必要とする対象において該医薬組み合わせが当該治療に有効となる量の第１の治療剤及び第２の治療剤を含む、前記医薬組み合わせ。
【請求項４】
請求項１又は２に記載の医薬組み合わせであって、真菌感染又は細菌感染の予防を必要とする対象において該医薬組み合わせが当該予防に有効となる量の第１の治療剤及び第２の治療剤を含む、前記医薬組み合わせ。
【請求項５】
請求項１又は２に記載の医薬組み合わせであって、浸潤性肺アスペルギルス症の治療を必要とする対象において該医薬組み合わせが当該治療に有効となる量の第１の治療剤及び第２の治療剤を含む、前記医薬組み合わせ。
【請求項６】
請求項１又は２に記載の医薬組み合わせであって、浸潤性肺アスペルギルス症の予防を必要とする対象において該医薬組み合わせが当該予防に有効となる量の第１の治療剤及び第２の治療剤を含む、前記医薬組み合わせ。
【請求項７】
真菌感染の治療が必要な対象における該治療の方法に使用するための、請求項１乃至６のいずれか一項に記載の医薬組み合わせ。
【請求項８】
真菌感染の予防が必要な対象における該予防の方法に使用するための、請求項１乃至６のいずれか一項に記載の医薬組み合わせ。
【請求項９】
前記真菌感染が、アスペルギロシス（Ａｓｐｅｒｇｉｌｌｏｓｉｓ）属種によって引き起こされる、請求項７及び８のいずれか一項に記載の医薬組み合わせ。
【請求項１０】
浸潤性肺アスペルギルス症の治療を必要とする対象での該治療の方法において使用するための医薬組み合わせであって、該方法が、
（ａ）下記式（ＩＩ）の化合物：
【化３】
2020513037.tif 000003
［それは、（１Ｓ，４ａＲ，６ａＳ，７Ｒ，８Ｒ，１０ａＲ，１０ｂＲ，１２ａＲ，１４Ｒ，１５Ｒ）−１５−［［２−アミノ−２，３，３−トリメチルブチル］オキシ］−８−［（１Ｒ）−１，２−ジメチルプロピル］−１４−［５−（４−ピリジニル）−１Ｈ−１，２，４−トリアゾール−１−イル］−１，６，６ａ，７，８，９，１０，１０ａ，１０ｂ，１１，１２，１２ａ−ドデカヒドロ−１，６ａ，８，１０ａ−テトラメチル−４Ｈ−１，４ａ−プロパノ−２Ｈ−フェナントロ［１，２−ｃ］ピラン−７−カルボン酸である。］又はそれの薬学的に許容される塩である第１の治療剤；及び
（ｂ）ボリコナゾール、イサブコナゾール、ポサコナゾール、イトラコナゾール、又はアムホテリシンＢである第２の治療剤
の医薬組み合わせを対象に投与することを含む、前記医薬組み合わせ。
【請求項１１】
前記第１の治療剤が、下記式（ＩＩａ）の化合物：
【化４】
2020513037.tif 000004
［それは、（１Ｓ，４ａＲ，６ａＳ，７Ｒ，８Ｒ，１０ａＲ，１０ｂＲ，１２ａＲ，１４Ｒ，１５Ｒ）−１５−［［（２Ｒ）−２−アミノ−２，３，３−トリメチルブチル］オキシ］−８−［（１Ｒ）−１，２−ジメチルプロピル］−１４−［５−（４−ピリジニル）−１Ｈ−１，２，４−トリアゾール−１−イル］−１，６，６ａ，７，８，９，１０，１０ａ，１０ｂ，１１，１２，１２ａ−ドデカヒドロ−１，６ａ，８，１０ａ−テトラメチル−４Ｈ−１，４ａ−プロパノ−２Ｈ−フェナントロ［１，２−ｃ］ピラン−７−カルボン酸である。］又は当該化合物の薬学的に許容される塩である、請求項１０に記載の使用のための医薬組み合わせ。
【請求項１２】
前記第１の治療剤を前記第２の治療剤と順次に投与する、請求項１０及び１１のいずれか１項に記載の使用のための医薬組み合わせ。
【請求項１３】
前記第１の治療剤を前記第２の治療剤と同時に投与する、請求項１０及び１１のいずれか１項に記載の使用のための医薬組み合わせ。
【請求項１４】
ガラクトマンナンレベルを低下させる必要がある対象においてガラクトマンナンレベルを低下させる方法に使用するための、請求項１乃至６のいずれか１項に記載の医薬組み合わせ。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
自閉症スペクトラム障害に関連する神経障害の行動症状を有する対象を治療する方法であって、
前記対象の消化管に存在する少なくとも１つの腸内代謝産物の少なくとも一部に結合して隔離剤−代謝産物複合体を形成する活性炭隔離剤組成物であって、そうすることで前記隔離剤−代謝産物複合体が前記消化管から除去されるようになる活性炭隔離剤組成物の治療有効量を前記対象に投与することを含み、
前記少なくとも１つの腸内代謝産物は、４−エチルフェノール（４−ＥＰ）であり、
前記行動症状が、反復行動、常同行動、強迫性障害、社会的コミュニケーションの欠陥、及び臨床的過敏症からなる群から選択され、
前記隔離剤組成物は、前記対象の消化管により非吸収性である多数の生体適合性粒子を含み、
前記治療有効量は、１日当たり３５ｍｇ〜３５ｇであり、並びに、
前記治療有効量により、前記行動症状が軽減される、方法。
【請求項２】
前記神経障害が自閉症スペクトラム障害であり、前記行動症状が、反復行動、常同行動および社会的コミュニケーションの欠陥からなる群から選択される、請求項１に記載の方法。
【請求項３】
前記対象が、慢性腎疾患を有しない、請求項１又は２に記載の方法。
【請求項４】
前記対象が、臨床的不安または不安障害を有しない、請求項１又は２に記載の方法。
【請求項５】
前記隔離剤組成物は、前記対象の消化管に存在する追加の腸内代謝産物の少なくとも一部に結合して隔離剤−代謝産物複合体を形成し、そうすることで前記隔離剤−代謝産物複合体が前記消化管から除去され、
前記追加の腸内代謝産物は、４−エチルフェニル硫酸塩（４−ＥＰＳ）、ｐ−クレゾール（ＰＣ）、ｐ−クレシル硫酸塩（ＰＣＳ）、３−ヒドロキシインドールおよび３−インドキシル硫酸塩からなる群から選択される、請求項１又は２に記載の方法。
【請求項６】
前記隔離剤組成物は、少なくとも５００ｍ２／ｇのブルナウアー・エメット・テラー（ＢＥＴ）法により測定された最小平均比表面積および４０００ｍ２／ｇ未満のブルナウアー・エメット・テラー（ＢＥＴ）法により測定された最大平均比表面積を有する球状活性炭粒子を含むＡＢ−２００４製剤を含む、請求項１又は２に記載の方法。
【請求項７】
前記隔離剤組成物は、少なくとも０．００５ｍｍの最小平均粒径および１．５ｍｍ未満の最大平均粒径を有する球状活性炭粒子を含むＡＢ−２００４製剤を含む、請求項６に記載の方法。
【請求項８】
治療期間中に前記対象の腸内代謝産物を監視することをさらに含む、請求項１又は２に記載の方法。
【請求項９】
前記対象の行動症状の変化を監視することをさらに含む、請求項１又は２に記載の方法。
【請求項１０】
前記隔離剤組成物を、前記神経障害の行動症状の出現後に投与する、請求項１又は２に記載の方法。
【請求項１１】
前記方法を、前記隔離剤組成物の最初の投与前に特定されたレベルと比較して低下した腸内代謝産物のレベルを維持するために必要に応じて繰り返す、請求項１又は２に記載の方法。
【請求項１２】
前記治療有効量は、１日当たり５ｍｇ／ｋｇ体重〜５００ｍｇ／ｋｇ体重である、請求項１〜１１のいずれか１項に記載の方法。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
互いに反対側にある第１主面及び第２主面を有し、ナノ構造化ウィスカー、カーボンナノチューブ、カーボンナノファイバー、カーボンマイクロファイバー、グラフェン、又は粘土のうちの少なくとも１つによって支持される金属Ｐｔ又は酸化Ｐｔのうちの少なくとも１つを含む膜と、
前記膜の前記第１主面上に第１の触媒を含むカソードと、
前記膜の前記第２主面上に第２の触媒を含むアノードと、
を含む、水電解装置。
【請求項２】
前記第１の触媒が、金属Ｐｔ又は酸化Ｐｔのうちの少なくとも１つを含む、請求項１に記載の水電解装置。
【請求項３】
前記第２の触媒が、前記第２の触媒の総重量に基づいて、酸化Ｉｒ及び金属Ｉｒを、併せて、元素Ｉｒとして計算して少なくとも９５重量％含み、金属Ｉｒ又は酸化Ｉｒのうちの少なくとも１つが存在する、請求項１に記載の水電解装置。
【請求項４】
前記第２の触媒が、金属Ｉｒ又は酸化Ｉｒのうちの少なくとも１つから実質的になる、請求項３に記載の水電解装置。
【請求項５】
前記第２の触媒が、金属Ｐｔ又は酸化Ｐｔを更に含む、請求項３に記載の水電解装置。
【請求項６】
前記第２の触媒が、金属Ｐｔ又は酸化Ｐｔのうちの少なくとも１つ、及び金属Ｉｒ又は酸化Ｉｒのうちの少なくとも１つから実質的になる、請求項５に記載の水電解装置。
【請求項７】
前記第２の触媒が、金属Ｐｔ又は酸化Ｐｔのうちの少なくとも１つ、及び金属Ｉｒ又は酸化Ｉｒのうちの少なくとも１つを含み、前記イリジウム及び白金は、イリジウムの白金に対する重量比が少なくとも２０：１である、請求項５又は６に記載の水電解装置。
【請求項８】
前記膜が、ポリマー電解質を更に含む、請求項１〜７のいずれか一項に記載の水電解装置。
【請求項９】
前記金属Ｐｔ又は酸化Ｐｔのうちの少なくとも１つが、０．０５ｍｇ／ｃｍ３〜１００ｍｇ／ｃｍ３の範囲の濃度で前記膜内に存在する、請求項１〜８のいずれか一項に記載の水電解装置。
【請求項１０】
水から水素及び酸素を生成する方法であって、
請求項１〜１１のいずれか一項に記載の水電解装置を提供することと、
前記アノードと接触する水を準備することと、
前記膜を横切る電位差を、十分な電流と共に提供して、前記水の少なくとも一部分を前記カソード及びアノードでそれぞれ水素及び酸素に変換することと、を含む、方法。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
水性顔料組成物であって、
（ｉ）重量中央粒径ｄ５０が１．５μｍ以下及び重量基準粒径ｄ９８が５μｍ以下である粉砕天然炭酸カルシウム（ＧＮＣＣ）、並びに
（ｉｉ）ＣＯ２及び１つ以上のＨ３Ｏ＋イオン供与体で処理された、粉砕天然炭酸カルシウム（ＧＮＣＣ）及び／又は沈降炭酸カルシウム（ＰＣＣ）の反応生成物である表面改質炭酸カルシウム（ＭＣＣ）であって、前記ＣＯ２がインサイチュで前記Ｈ３Ｏ＋イオン供与体処理により形成され、及び／又は外部供給源から供給され、１．３μｍ以下の体積中央粒径ｄ５０及び１０μｍ以下の体積基準粒径ｄ９８を有する表面改質炭酸カルシウム（ＭＣＣ）
を含み、
前記粉砕天然炭酸カルシウム（ＧＮＣＣ）及び前記表面改質炭酸カルシウム（ＭＣＣ）が、乾燥重量に基づいて９５：５〜５：９５の比で前記水性顔料組成物中に存在し、前記水性顔料組成物が、前記水性顔料組成物の総重量に基づいて、５０〜８５重量％の総固形分を有することを特徴とする、水性顔料組成物。
【請求項２】
前記粉砕天然炭酸カルシウム（ＧＮＣＣ）が、
（ｉ）０．０５〜１．５μｍの範囲の重量中央粒径ｄ５０、
（ｉｉ）３〜５μｍの範囲の重量基準粒径ｄ９８、及び／又は
（ｉｉｉ）３以上の重量基準粒径比ｄ９８／ｄ５０
を有することを特徴とする、請求項１に記載の水性顔料組成物。
【請求項３】
前記表面改質炭酸カルシウム（ＭＣＣ）が、
（ｉ）０．０５〜１．３μｍの範囲の体積中央粒径ｄ５０、
（ｉｉ）３〜１０μｍの範囲の体積基準粒径ｄ９８、及び／又は
（ｉｉｉ）１０以下の体積基準粒径比ｄ９８／ｄ５０
を有することを特徴とする、請求項１又は２のいずれかに記載の水性顔料組成物。
【請求項４】
前記表面改質炭酸カルシウム（ＭＣＣ）が、ＩＳＯ  ９２７７：２０１０に従って窒素とＢＥＴメソッドを使用して測定したとき、２０〜２００ｍ２／ｇの範囲の比表面積を有することを特徴とする、請求項１〜３のいずれかに記載の水性顔料組成物。
【請求項５】
前記表面改質炭酸カルシウム（ＭＣＣ）が、水銀ポロシメトリー測定から計算されたとき、０．０８〜１．８０ｃｍ３／ｇの範囲の粒子内圧入比細孔体積を有することを特徴とする、請求項１〜４のいずれかに記載の水性顔料組成物。
【請求項６】
前記粉砕天然炭酸カルシウム（ＧＮＣＣ）及び前記表面改質炭酸カルシウム（ＭＣＣ）が、それぞれ乾燥重量に基づいて、前記水性顔料組成物中に９０：１０〜３０：７０の比で存在することを特徴とする、請求項１〜５のいずれかに記載の水性顔料組成物。
【請求項７】
それぞれ前記水性顔料組成物の総重量に基づいて、５５〜８０重量％の総固形分を有することを特徴とする、請求項１〜６のいずれかに記載の水性顔料組成物。
【請求項８】
水性顔料組成物の調製方法であって、
（ａ）重量中央粒径ｄ５０が１．５μｍ以下、及び重量基準粒径ｄ９８が５μｍ以下である粉砕天然炭酸カルシウム（ＧＮＣＣ）の水性懸濁液を供給するステップ、
（ｂ）ＣＯ２及び１つ以上のＨ３Ｏ＋イオン供与体で処理された、粉砕天然炭酸カルシウム（ＧＮＣＣ）及び／又は沈降炭酸カルシウム（ＰＣＣ）の反応生成物である表面改質炭酸カルシウム（ＭＣＣ）の水性懸濁液を供給するステップであって、前記ＣＯ２がインサイチュで前記Ｈ３Ｏ＋イオン供与体処理により形成され、及び／又は外部供給源から供給され、前記表面改質炭酸カルシウム（ＭＣＣ）が、１．３μｍ以下の体積中央粒径ｄ５０及び１０μｍ以下の体積基準粒径ｄ９８を有する、ステップ、
（ｃ）ステップ（ａ）で供給された前記水性懸濁液とステップ（ｂ）で供給された前記水性懸濁液とを接触させて、粉砕天然炭酸カルシウム（ＧＮＣＣ）及び表面改質炭酸カルシウム（ＭＣＣ）を含む水性顔料組成物を得るステップ、並びに
（ｄ）任意選択で、ステップ（ｃ）の前記水性顔料組成物の固形分を調整するステップ
を含み、
前記粉砕天然炭酸カルシウム（ＧＮＣＣ）及び前記表面改質炭酸カルシウム（ＭＣＣ）が、乾燥重量に基づいて９５：５〜５：９５の比で前記水性顔料組成物中に存在し、前記水性顔料組成物が、前記水性顔料組成物の総重量に基づいて、５０〜８５重量％の総固形分を有することを特徴とする、方法。
【請求項９】
ステップａ）の前記粉砕天然炭酸カルシウム（ＧＮＣＣ）が、
（ｉ）０．０５〜１．５μｍの範囲の重量中央粒径ｄ５０、
（ｉｉ）３〜５μｍの範囲の重量基準粒径ｄ９８、及び／又は
（ｉｉｉ）３以上の重量基準粒径比ｄ９８／ｄ５０
を有することを特徴とする、請求項８に記載の方法。
【請求項１０】
ステップ（ｂ）の前記表面改質炭酸カルシウム（ＭＣＣ）が、
（ｉ）０．０５〜１．３μｍの範囲の体積中央粒径ｄ５０、
（ｉｉ）３〜１０μｍの範囲の体積基準粒径ｄ９８、及び／又は
（ｉｉｉ）１０以下の体積基準粒径比ｄ９８／ｄ５０
を有することを特徴とする、請求項８又は９のいずれかに記載の方法。
【請求項１１】
ステップ（ｂ）の前記表面改質炭酸カルシウム（ＭＣＣ）が、ＩＳＯ  ９２７７：２０１０に従って窒素とＢＥＴメソッドを使用して測定したとき、２０〜２００ｍ２／ｇの範囲の比表面積を有することを特徴とする、請求項８〜１０のいずれかに記載の方法。
【請求項１２】
ステップ（ｂ）の前記表面改質炭酸カルシウム（ＭＣＣ）が、水銀ポロシメトリー測定から計算されたとき、０．０８〜１．８０ｃｍ３／ｇの範囲の粒子内圧入比細孔体積を有することを特徴とする、請求項８〜１１のいずれかに記載の方法。
【請求項１３】
前記粉砕天然炭酸カルシウム（ＧＮＣＣ）及び前記表面改質炭酸カルシウム（ＭＣＣ）が、それぞれ乾燥重量に基づいて、前記水性顔料組成物中に９０：１０〜３０：７０の比で存在することを特徴とする、請求項８〜１２のいずれかに記載の方法。
【請求項１４】
前記水性顔料組成物が、それぞれ前記水性顔料組成物の総重量に基づいて、５５〜８０重量％の総固形分を有することを特徴とする、請求項８〜１３のいずれかに記載の方法。
【請求項１５】
塗料又はコーティングにおける、請求項１〜７のいずれかに記載の水性顔料組成物の使用。
【請求項１６】
二酸化チタンエンハンサーとしての、請求項１〜７のいずれかに記載の水性顔料組成物の使用。
【請求項１７】
請求項１〜７のいずれかに記載の水性顔料組成物を含む塗料又はコーティング。